(57)【要約】      （修正有）【課題】正規サイズ用紙に異なるサイズ（小サイズ）の用紙が混じっている場合、その異なるサイズの用紙について用紙サイズエラーを検出できる画像形成装置を提供する。【解決手段】給紙ローラ１２１を一時的に停止又は低速化し、それにより給紙センサＳＥ１が記録用紙無しを検出すると、記録用紙サイズが正規サイズではないと判断する。【選択図】図１
2011201667.tif 000002
【特許請求の範囲】
【請求項１】
記録用紙サイズ指定部で指定されるか又は記録用紙サイズ検出手段により検出される正規サイズの記録用紙を記録用紙供給部から給紙ローラにて該給紙ローラより記録用紙搬送方向において下流側に位置する次段の搬送ローラへ供給し、該次段搬送ローラから画像形成部へ供給して該記録用紙に画像形成でき、記録用紙を該次段搬送ローラから画像形成部へ供給するにあたり前記給紙ローラにも該記録用紙を搬送させる画像形成装置であり、
前記給紙ローラから前記次段搬送ローラへ記録用紙を導く用紙搬送路と、
記録用紙搬送方向において前記給紙ローラより下流側で前記次段搬送ローラより上流側に配置され、前記用紙搬送路に臨んで、該給紙ローラにより供給される記録用紙を検出するための給紙センサと、
前記記録用紙供給部の正規サイズ記録用紙に混じる可能性があることが予測される、正規サイズ記録用紙より記録用紙搬送方向長が短い小サイズ記録用紙が該正規サイズ記録用紙に混じっていると記録用紙サイズエラー検出を行うためのサイズエラー判断部とを含んでおり、
前記サイズエラー判断部は、前記記録用紙供給部から記録用紙が供給されるにあたり、記録用紙が正規サイズ記録用紙であるとき、前記給紙ローラによる正規サイズ記録用紙の供給開始から小サイズの記録用紙後端が前記給紙センサを通過完了するのに要する時間をＴ１、記録用紙が前記小サイズ記録用紙であるとき、前記給紙ローラによる小サイズ記録用紙の供給開始から小サイズ記録用紙後端が前記給紙ローラを通過完了するのに要する時間をＴ２とすると、前記給紙ローラによる記録用紙供給開始から時間Ｔ２経過時点以後で、時間Ｔ１経過前に前記給紙ローラを一時的に所定時間減速開始させ、前記給紙ローラの所定時間の減速により、前記給紙センサが正規サイズ記録用紙無しを検出すると、記録用紙サイズは正規サイズではないサイズエラーと判断し、前記給紙ローラの所定時間の減速によっても、前記給紙センサが正規サイズ記録用紙無しを検出しないときは、サイズエラー無しと判断して該所定減速時間経過後、前記給紙ローラの正規駆動を再開させることを特徴とする画像形成装置。
【請求項２】
前記小サイズ記録用紙は、記録用紙搬送方向長が前記正規サイズ記録用紙の搬送方向長の１／整数である記録用紙である請求項１記載の画像形成装置。
【請求項３】
前記用紙搬送路は、記録用紙を前記給紙ローラの連続運転にて前記次段搬送ローラへ搬送するときに記録用紙が通る長い湾曲搬送路を含んでおり、記録用紙が前記給紙ローラと次段搬送ローラ間に跨がった状態で該次段搬送ローラを運転したまま該給紙ローラを減速することで、該長い湾曲搬送路にある記録用紙はより短い湾曲搬送路へシフトすることができる請求項１又は２記載の画像形成装置。
【請求項４】
前記給紙ローラを所定時間減速開始するタイミングは、該給紙ローラによる記録用紙供給開始から前記時間Ｔ２経過した時点である請求項１、２又は３記載の画像形成装置。
【請求項５】
前記給紙ローラの所定減速時間は、該給紙ローラによる正規サイズ記録用紙の供給にて該正規サイズ記録用紙が前記用紙搬送路に位置する状態から前記次段搬送ローラによる該記録用紙の搬送により最短用紙搬送路へシフトするのに要する時間よりは短く設定される請求項１から４のいずれかに記載の画像形成装置。
【請求項６】
前記給紙センサは、前記用紙搬送路にある記録用紙から反射されてくる光を受けることで記録用紙を検出できる反射型センサであり、前記サイズエラー判断部は、前記給紙ローラの所定減速時間において該反射型センサが記録用紙を検出できないときがあると、サイズエラーと判断する請求項１から５のいずれかに記載の画像形成装置。
【請求項７】
前記給紙センサは、透過型センサ本体と、該センサに嵌脱可能に配置されたアクチュエータとを含み、該アクチュエータが前記用紙搬送路にある記録用紙に持ち上げられてセンサ本体から脱離することで記録用紙を検出できる透過型センサであり、前記サイズエラー判断部は、前記給紙ローラの所定減速時間において該透過型センサが記録用紙を検出できないときがあると、サイズエラーと判断する請求項１から５のいずれかに記載の画像形成装置。
【請求項８】
前記給紙センサは、前記用紙搬送路にある記録用紙との距離を検出可能の位置に配置された距離センサであり、前記サイズエラー判断部は、前記給紙ローラの所定減速時間経過後も該距離センサによる検出距離が予め定めた距離より大きいと、サイズエラーと判断する請求項１から５のいずれかに記載の画像形成装置。
【請求項９】
前記給紙センサは、前記給紙ローラの近傍位置で前記用紙搬送路における記録用紙の移動を検出できる動体検出センサであり、前記サイズエラー判断部は、該給紙ローラの所定減速時間において給紙ローラを停止させ、給紙ローラを停止させている時間に該動体検出センサが記録用紙の移動を検出できないときがあると、サイズエラーと判断する請求項１から５のいずれかに記載の画像形成装置。
【請求項１０】
前記給紙ローラの減速は、該給紙ローラの停止である請求項１から８のいずれかに記載の画像形成装置。
【発明の詳細な説明】
【技術分野】
【０００１】
本発明は、複写機、プリンタ、ファクシミリ機、或いはこれらのうち２以上を組み合わせた複合機等の画像形成装置に関する。
【０００２】
一般的には、画像形成装置として、画像形成しようとするサイズの記録紙、オーバーヘッドプロジェクタ用シート等のシート状の記録媒体（以下、これらを「記録用紙」又は「用紙」と総称することがある。）を記録用紙供給部から給紙ローラにて該ローラより記録用紙搬送方向において下流側に位置する次段の搬送ローラへ供給し、該次段搬送ローラから画像形成部へ供給して該記録用紙に画像を形成でき、記録用紙を該次段搬送ローラから画像形成部へ供給するにあたり、用紙搬送を安定化させるために次段搬送ローラによる搬送と同時に前記給紙ローラにも該記録用紙を搬送させるように構成されている画像形成装置がある。
【０００３】
ここで「次段の搬送ローラ」については、記録用紙に画像形成できるように画像形成部へ記録用紙を送り込むタイミングをとる、タイミングローラや、レジストローラと呼ばれているローラや、そのようなローラより用紙搬送方向において上流側に位置する用紙搬送ローラなどが「次段搬送ローラ」となる例を挙げることができる。
【０００４】
いずれにしても、この種の画像形成装置では、画像形成しようとするサイズの記録用紙は、例えば画像形成装置の操作パネルにおける記録用紙サイズ指定部で指定されたり、記録用紙供給部における記録用紙サイズ検出手段（例えば記録用紙供給部における用紙位置決め定規の位置により用紙サイズを検出する手段）により検出され、確認される。
【０００５】
かかる画像形成装置の記録用紙供給部からの用紙供給は、記録用紙サイズ指定部で指定されるか又は記録用紙サイズ検出手段により検出される正規サイズの記録用紙が記録用紙供給部に収容されているものとして、該正規サイズの記録用紙の搬送方向長さと給紙ローラによる正規の用紙搬送速度とに基づいて、記録用紙を１枚ずつ、且つ、先行用紙と後行用紙との間に、用紙搬送や画像形成部における画像形成速度等に支障のない間隔をあけて行われる。
【０００６】
しかしながら、記録用紙を次段搬送ローラから画像形成部へ供給するにあたり、給紙ローラにも該記録用紙を搬送させる画像形成装置では、正規サイズの記録用紙に異なる用紙サイズの記録用紙、例えば正規サイズ用紙より用紙搬送方向長さが短い小サイズ用紙が紛れ込んでいると、その小サイズ用紙の供給にあたり、その搬送方向長より長い、正規サイズ用紙の長さ分の搬送を完了するまで、用紙供給部における給紙ローラ等が（給紙ローラ前に用紙を一枚ずつ捌き出すピックアップローラがあるときは該ローラも）給紙動作を続けるので、小サイズ記録用紙後端が給紙ローラを通過し終わったのちも給紙ローラ等が回りつづけて次の用紙を供給することとなり、かくして先行用紙と後行用紙との間に用紙間隔を得ることができなくなる。
【０００７】
また、正規サイズ記録用紙に異なるサイズの記録用紙が混じっていると、ジャムが発生したり、ジャム発生が無いのに誤ってジャムが検出される、というようなこともあり得る。
【０００８】
このように、記録用紙を次段搬送ローラから画像形成部へ供給するにあたり、給紙ローラにもひき続き該記録用紙を搬送させる画像形成装置では、正規サイズ記録用紙に異なるサイズの記録用紙が混じっていると、記録用紙供給、搬送に支障がでる。
【０００９】
これに関連する技術として、特開２００３−７２９８７号公報には、正規サイズ記録用紙より大きいサイズの記録用紙が混じっている場合に、２枚目の記録用紙について給紙部ジャムを検出した場合、ジャムと判断せずに、１枚目の記録用紙の後端をレジストローラ近傍に設けられたレジストセンサが検出した後に、該２枚目の記録用紙について給紙動作を実行するという方法が提案されている。
【先行技術文献】
【特許文献】
【００１０】
【特許文献１】特開２００３−７２９８７号公報
【発明の概要】
【発明が解決しようとする課題】
【００１１】
特開２００３−７２９８７号公報に記載された方法は、用紙供給部の給紙口に実際にセットされている用紙のサイズが、この給紙口において検出手段にて検出される記録用紙の正規サイズより大きいサイズの記録用紙である場合に適用できる技術であり、これから画像形成しようとする正規サイズの記録用紙より小さいサイズの記録用紙が混じっている場合に、これを用紙サイズエラーとして把握することはできない。
【００１２】
また、給紙口において検出される記録用紙の搬送方向長さが、実際にその給紙口にセットされている記録用紙の搬送方向長の倍数である場合、幅方向においては同長である場合もあり、用紙サイズエラーを検出できないことがある。
【００１３】
そこで本発明は、記録用紙サイズ指定部で指定されるか又は記録用紙サイズ検出手段により検出される正規サイズの記録用紙を記録用紙供給部から給紙ローラにて該給紙ローラより記録用紙搬送方向において下流側に位置する次段の搬送ローラへ供給し、該次段搬送ローラから画像形成部へ供給して該記録用紙に画像形成でき、記録用紙を該次段搬送ローラから画像形成部へ供給するにあたり給紙ローラにも該記録用紙を搬送させる画像形成装置であって、正規サイズの記録用紙に記録用紙搬送方向長が正規サイズ記録用紙のそれより短い小サイズ記録用紙が混じっている場合、該小サイズ記録用紙について用紙サイズエラーを検出できる画像形成装置を提供することを課題とする。
【課題を解決するための手段】
【００１４】
本発明は前記課題を解決するため、
記録用紙サイズ指定部で指定されるか又は記録用紙サイズ検出手段により検出される正規サイズの記録用紙を記録用紙供給部から給紙ローラにて該給紙ローラより記録用紙搬送方向において下流側に位置する次段の搬送ローラへ供給し、該次段搬送ローラから画像形成部へ供給して該記録用紙に画像形成でき、記録用紙を該次段搬送ローラから画像形成部へ供給するにあたり前記給紙ローラにも該記録用紙を搬送させる画像形成装置であり、
前記給紙ローラから前記次段搬送ローラへ記録用紙を導く用紙搬送路と、
記録用紙搬送方向において前記給紙ローラより下流側で前記次段搬送ローラより上流側に配置され、前記用紙搬送路に臨んで、該給紙ローラにより供給される記録用紙を検出するための給紙センサと、
前記記録用紙供給部の正規サイズ記録用紙に混じる可能性があることが予測される、正規サイズ記録用紙より記録用紙搬送方向長が短い小サイズ記録用紙が該正規サイズ記録用紙に混じっていると記録用紙サイズエラー検出を行うためのサイズエラー判断部とを含んでいる画像形成装置を提供する。
なお、記録用紙供給部の正規サイズ記録用紙に混じる可能性がある小サイズ記録用紙がどのようなものであるかは、経験等から予め把握することができる。
【００１５】
本発明に係る画像形成装置において、前記用紙搬送路は、記録用紙を前記給紙ローラの連続運転にて前記次段搬送ローラへ搬送するときに記録用紙が通る長い湾曲搬送路を含んでいるものでもよい。この用紙搬送路の場合、記録用紙が該給紙ローラと該次段搬送ローラ間に跨がった状態で該次段搬送ローラを運転したまま該給紙ローラを減速することで、該長い湾曲搬送路にある記録用紙は、より短い湾曲搬送路へシフトすることができる。
【００１６】
前記サイズエラー判断部は、前記記録用紙供給部から記録用紙が供給されるにあたり、記録用紙が正規サイズ記録用紙であるとき、前記給紙ローラによる正規サイズ記録用紙の供給開始から小サイズの記録用紙後端が前記給紙センサを通過完了するのに要する時間をＴ１、記録用紙が前記小サイズ記録用紙であるとき、前記給紙ローラによる小サイズ記録用紙の供給開始から小サイズ記録用紙後端が前記給紙ローラを通過完了するのに要する時間をＴ２とすると、前記給紙ローラによる記録用紙供給開始から時間Ｔ２経過時点以後で、時間Ｔ１経過前に前記給紙ローラを一時的に所定時間減速開始させ、該給紙ローラの所定時間の減速により、前記給紙センサが正規サイズ記録用紙無しを検出すると、記録用紙サイズは正規サイズではないサイズエラーと判断し、前記給紙ローラの所定時間の減速によっても、前記給紙センサが正規サイズ記録用紙無しを検出しないときは、サイズエラー無しと判断して該所定減速時間経過後、該給紙ローラの正規駆動を再開させる。
【００１７】
本発明に係る画像形成装置において、前記「次段の搬送ローラ」としては、例えば、記録用紙に画像形成できるように画像形成部へ記録用紙を送り込むタイミングをとる、タイミングローラとか、レジストローラとか呼ばれているローラを挙げることができる。または、そのようなレジストローラより用紙搬送方向において上流側に位置する、給紙ローラの次段の用紙搬送ローラであってもよい。
【００１８】
また、ここでの「給紙ローラの減速」には、給紙ローラの正規駆動による用紙搬送速度より用紙搬送速度が低速の場合のほか、給紙ローラが停止される場合も含まれる。
【００１９】
前記サイズエラー判断部により、サイズエラーと判断される、前記小サイズ記録用紙としては、記録用紙搬送方向長が前記正規サイズ記録用紙の搬送方向長の１／整数（例えば半分）である記録用紙を例示できる。例えば縦長方向に搬送される正規サイズ記録用紙であるＡ３サイズ記録用紙に対して、短辺方向に搬送されるように混じったＡ４サイズ記録用紙を例示でる。
【００２０】
本発明に係る画像形成装置によると、記録用紙は次段搬送ローラへ用紙搬送路に沿って進み、次段搬送ローラに到達すると、次段搬送ローラの運転（用紙搬送運転）及び給紙ローラの正規の用紙搬送駆動により、該用紙搬送路に沿って進む。
【００２１】
記録用紙が給紙ローラと次段搬送ローラの両方に跨がっている場合、給紙ローラを停止又は減速（停止を除く）させると、該用紙搬送路にある記録用紙はより短い用紙搬送路へとシフトする。既述のように用紙搬送路として長い湾曲搬送路を設けてある場合、記録用紙が給紙ローラと次段搬送ローラの両方に跨がっているときに給紙ローラを停止又は減速（停止を除く）させると、記録用紙は長い湾曲搬送路からより短い湾曲搬送路へシフトする。
【００２２】
そこで本発明に係る画像形成装置の前記サイズエラー判断部は、前記記録用紙供給部から記録用紙が供給されるにあたり、記録用紙が正規サイズ記録用紙であるとき、給紙ローラによる正規サイズ記録用紙の供給開始から小サイズの記録用紙後端が給紙センサを通過完了するのに要する時間をＴ１、記録用紙が前記小サイズ記録用紙であるとき、給紙ローラによる小サイズ記録用紙の供給開始から小サイズ記録用紙後端が給紙ローラを通過完了するのに要する時間をＴ２とすると、給紙ローラによる記録用紙供給開始から時間Ｔ２経過時点以後で、時間Ｔ１経過前に給紙ローラを一時的に所定時間減速開始させさせる。これにより、実際に供給される記録用紙のサイズが正規サイズ記録用紙のそれより小サイズである場合は、次の記録用紙の給紙ローラの正規駆動による進行を妨げ、該給紙ローラの所定時間の減速により、前記給紙センサが正規サイズ記録用紙無しを検出すると、記録用紙サイズは正規サイズではないサイズエラーと判断し、給紙ローラの所定時間の減速によっても、給紙センサが正規サイズ記録用紙無しを検出しないときは、サイズエラー無しと判断して該所定減速時間経過後、該給紙ローラの正規駆動を再開させる。
【００２３】
かくして、ユーザーが、例えば用紙サイズを誤って記録用紙供給部にセットした場合でも、用紙サイズエラーを検出して、破棄する用紙を削減できる。
【００２４】
前記給紙ローラを所定時間減速開始するタイミングとしては、給紙ローラによる記録用紙供給開始から前記時間Ｔ２に達したとき（時間Ｔ２経過したとき）を例示できる。
【００２５】
また、前記の「給紙ローラの所定減速時間」としては、正規サイズとは異なる小サイズ記録用紙が混じっていることを検出できる時間を設定すればよいのであるが、記録用紙が正規サイズのものである場合、その損傷を防止する観点から、給紙ローラによる正規サイズ記録用紙の供給にて正規サイズ記録用紙が長い用紙搬送路に位置する状態から次段搬送ローラによる該記録用紙の搬送により最短用紙搬送路へシフトするのに要する時間よりは短く設定する場合を例示できる。
【００２６】
前記給紙センサは様々のタイプのものを採用でき、また、給紙センサに応じて前記サイズエラー判断部による判断手法を定めることができる。以下にそれらの例を挙げる。
【００２７】
（１）前記給紙センサは、前記用紙搬送路にある記録用紙から反射されてくる光を受けることで記録用紙を検出できる反射型センサであり、前記サイズエラー判断部は、前記給紙ローラの所定減速時間において該反射型センサが記録用紙を検出できないときがあると、サイズエラーと判断する。
（２）前記給紙センサは、透過型センサ本体と、該センサに嵌脱可能に配置されたアクチュエータとを含み、該アクチュエータが前記用紙搬送路にある記録用紙に持ち上げられてセンサ本体から脱離することで記録用紙を検出できる透過型センサであり、前記サイズエラー判断部は、前記給紙ローラの所定減速時間において該透過型センサが記録用紙を検出できないときがあると、サイズエラーと判断する。
（３）前記給紙センサは、前記用紙搬送路にある記録用紙との距離を検出可能の位置に配置された距離センサであり、前記サイズエラー判断部は、前記給紙ローラの所定減速時間経過後も該距離センサによる検出距離が予め定めた距離より大きいと、サイズエラーと判断する。
（４）前記給紙センサは、前記給紙ローラの近傍位置で前記湾曲搬送路における記録用紙の移動を検出できる動体検出センサであり、前記サイズエラー判断部は、該給紙ローラの所定減速時間において給紙ローラを停止させ、給紙ローラを停止させている時間に該動体検出センサが記録用紙の移動を検出できないときがあると、サイズエラーと判断する。
【発明の効果】
【００２８】
以上説明したように本発明によると、記録用紙サイズ指定部で指定されるか又は記録用紙サイズ検出手段により検出される正規サイズの記録用紙を記録用紙供給部から給紙ローラにて該給紙ローラより記録用紙搬送方向において下流側に位置する次段の搬送ローラへ供給し、該次段搬送ローラから画像形成部へ供給して該記録用紙に画像形成でき、記録用紙を該次段搬送ローラから画像形成部へ供給するにあたり給紙ローラにも該記録用紙を搬送させる画像形成装置であって、正規サイズの記録用紙に記録用紙搬送方向長が正規サイズ記録用紙のそれより短い小サイズ記録用紙が混じっている場合、該小サイズ記録用紙について用紙サイズエラーを検出できる画像形成装置を提供することができる。
【図面の簡単な説明】
【００２９】
【図１】本発明に係る画像形成装置の１例の構成を概略的に示す図である。
【図２】図１の画像形成装置の制御回路を示すブロック図である。
【図３】記録用紙供給部の給紙ローラからレジストローラへ至る長い湾曲搬送路及びそれより短い湾曲搬送路と、湾曲搬送路に臨む給紙センサ例とを示す図である。
【図４】記録用紙が正規サイズ記録用紙である場合に、該記録用紙が長い湾曲搬送路からより短い湾曲搬送路へシフトする様子を示す図である。
【図５】用紙サイズエラーが反射型給紙センサを用いて検出されるときの記録用紙搬送路における記録用紙状態例を示す図である。
【図６】サイズエラー判断部による、反射型給紙センサによる用紙サイズエラー検出動作を示すフローチャートである。
【図７】用紙サイズエラーが透過型給紙センサを用いて検出されるときの記録用紙搬送路における記録用紙状態例を示す図である。
【図８】用紙サイズエラーが距離センサを用いて検出されるときの記録用紙搬送路における記録用紙状態例を示す図である。
【図９】サイズエラー判断部による、距離センサによる用紙サイズエラー検出動作を示すフローチャートである。
【図１０】サイズエラー判断部による、距離センサによる用紙サイズエラー検出動作の他の例を示すフローチャートである。
【図１１】用紙サイズエラーが動体検出センサを用いて検出されるときの記録用紙搬送路における記録用紙状態例を示す図である。
【図１２】サイズエラー判断部による、動体検出センサによる用紙サイズエラー検出動作を示すフローチャートである。
【図１３】本発明に係る画像形成装置の他の例の構成を概略的に示す図である。
【発明を実施するための形態】
【００３０】
以下、図面を参照して本発明に係る画像形成装置の例について説明する。
図１は画像形成装置の１例の構成の概略を示している。図１の画像形成装置１０は複写機、プリンタ、ファクシミリ機等の機能を有する複合機である。
図２は図１に示す画像形成装置１０の制御回路の概略を示すブロック図である。
【００３１】
図１に示す画像形成装置１０は、画像形成装置本体１に画像読み取り装置２を搭載したものであり、画像形成装置１０の動作を制御する制御部Ｃｏｎｔ（図２参照）も含んでいる。後述する画像形成装置各部の動作は制御部Ｃｏｎｔの指示のもとになされる。
【００３２】
画像読み取り装置２はそれ自体既に知られているもので、原稿画像を読み取り、読み取った画像情報を原稿複写やファクシミリ送信等に供することができるものである。
【００３３】
画像形成装置本体１は、画像形成部１１、画像形成部下方の記録用紙供給部１２、画像形成パス１３、画像形成パスにつながる記録用紙搬送路ａ１及び排出反転ローラＤｒ、さらに反転循環搬送路１４等を含んでいる。
【００３４】
画像形成部１１は図示省略のベルト駆動部により回転駆動され駆動ローラｄ１と対向ローラｄ２に巻き掛けられて図中反時計方向αに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００３５】
各色担当の画像形成ユニットは、画像読み取り装置２からの画像情報や、図示省略の外部コンピュータや外部ファクシミリ機等から送信されてくる画像情報に基づいて、制御部Ｃｏｎｔの指示のもとに、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト１１１上に１次転写することができる。
【００３６】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト１１１上で重ねられるタイミングでベルト１１１に１次転写される。
【００３７】
画像形成部１１はさらに、中間転写ベルト１１１の回転方向においてブラック画像形成ユニットＫの下流側で中間転写ベルト１１１に臨む２次転写ローラＴＲ及びその上方に配置された定着装置１１２も含んでいる。
【００３８】
画像形成パス１３は、記録用紙供給部１２から供給される記録用紙に２次転写ローラＴＲによりベルト１１１上の１次転写トナー像を２次転写し、定着装置１１２で定着させるように記録用紙を搬送するための搬送路であり、ベルト１１１と２次転写ローラＴＲのニップ部及び定着装置１１２を通る搬送路である。定着装置１１２の排出側には排出ローラ１３Ｒが配置されており、該排出ローラから前記排出反転ローラＤｒへ用紙搬送路ａ１が延びている。ローラＤｒはその駆動部Ｄｒｄ（図２参照）により用紙排出回転又は後述する両面画像形成のための反転（逆転）が可能である。
【００３９】
画像形成パス１３の、２次転写ローラＴＲの若干上流側部分にレジストローラ（タイミングローラ）１３１が配置されている。レジストローラ１３１はその駆動部１３１Ｄ（図２参照）により回転駆動可能である。レジストローラ１３１は供給されてくる記録用紙を一端停止させ、ベルト１１１上のトナー像が２次転写領域へ到来するタイミングで該記録用紙を２次転写領域へ送り込むためのものである。レジストローラ１３１の手前にレジストセンサＳｅ１があり、記録用紙がこれに検出されると、記録用紙がローラ１３１による搬送再開可能に一端停止される。
【００４０】
前記のようにベルト１１１上に１次転写されるトナー像は、図示省略の電源から２次転写バイアスが印加され、駆動部ＴＲＤ（図２参照）により回転駆動される２次転写ローラＴＲによって、画像形成パス１３に沿って搬送されてくる記録用紙に２次転写され、定着装置１１２により加熱加圧下に記録用紙に定着される。記録用紙は画像形成部１１下方の記録用紙供給部１２から１枚ずつ供給される。記録用紙供給部１２については後ほどさらに説明する。
【００４１】
記録用紙の一方の面に画像形成して記録用紙を排出する片面モード（片面画像形成モード）では、定着装置１１２で２次転写トナー像が定着された記録用紙は、制御部Ｃｏｎｔの指示のもとに排出ローラ１３Ｒで用紙搬送路ａ１へ搬送され、用紙搬送路ａ１に沿って排出ローラＤｒへ進み、排出ローラＤｒにより用紙排出トレイＴへ排出される。
【００４２】
記録用紙の両面に画像形成する両面モード（両面画像形成モード）では、制御部Ｃｏｎｔの指示のもとに、片面に画像形成された記録用紙の一部が、排出ローラＤｒによりトレイＴへ排出され、該記録用紙の後端部が排出ローラＤｒを通過する前に該排出ローラＤｒが逆転される。それにより、記録用紙は、その腰の強さにも助けられて、反転循環搬送路１４の循環搬送路ａ２へ搬入され、搬送ローラ駆動部ＲＤにより回転駆動される用紙搬送ローラＲにて再び画像形成パス１３へ入る。記録用紙はそこで用紙検出センサＳｅ１に検出され、レジストローラ１３１にて一端停止される。そして、２次転写領域へベルト１１１上の記録用紙裏面用のトナー像が到来するタイミングで該レジストローラ１３１にて２次転写領域へ送りこまれ、さらに定着装置１１２に通される。その後トレイＴへ排出される。
【００４３】
前記の記録用紙供給部１２では、本例ではＡ３サイズの記録用紙をセットできるように、用紙位置決め定規１２０の位置が設定されている。供給部１２には、記録用紙サイズ検出手段の１例である定規位置検出センサ１２ｓが設けられており、定規位置検出センサ１２ｓが定規位置を検出することで、供給部１２にセットされるべき正規サイズの記録用紙Ｓｈの該正規サイズ、特に用紙搬送方向の長さ（以下、「ＦＤ長」と言うことがある。）が検出されるようになっている。定規位置検出センサ１２ｓにより検出される記録用紙の正規サイズは制御部Ｃｏｎｔに入力される（図２参照）。
【００４４】
記録用紙供給部１２にはピックアップローラＰ及び給紙ローラ１２１が設けられている。ピックアップローラＰは、その駆動部ＰＤ（図２参照）より昇降可能であるとともに回転駆動可能であり、供給部１２から記録用紙を供給するタイミングでは、回転駆動されるとともに下降して、供給部１２に収容されている記録用紙Ｓｈ群から１枚ずつ用紙を捌き出す。給紙ローラ１２１は駆動部１２Ｄ（図２参照）により回転駆動可能であり、ローラＰにより捌き出された用紙を受け取って後述するレジストローラ１３１へ供給する。
【００４５】
給紙ローラ１２１からレジストローラ１３１へ向けて用紙案内ガイドＧが延びており、給紙ローラ１２１から供給される記録用紙は、ガイドＧにより提供される長い湾曲搬送路Ａを進んでレジストローラ１３１へ到達することができる。この点について図３及び図４を参照してさらに説明する。
【００４６】
図３は記録用紙給紙部１２の給紙ローラ１２１からレジストローラ１３１へ至る長い湾曲搬送路Ａ及びそれより短い湾曲搬送路Ｂ’と、湾曲搬送路に臨む給紙センサＳＥ１とを示している。給紙センサＳＥ１は発光部と該発光部から検出対象物に照射されて反射してくる反射光を受ける受光部とを含み、受光部で反射光を受けることで検出対象物を検出できる反射型センサである。
【００４７】
長い湾曲搬送路Ａは、記録用紙を給紙ローラ１２１の連続運転にてレジストローラ１３１へ搬送するときに記録用紙が通る搬送路である。記録用紙が長い湾曲搬送路Ａにあり、且つ、給紙ローラ１２１とレジストローラ１３１との間に跨がった状態で、レジストローラ１３１は正規に運転したまま（正規用紙搬送回転させたまま）で給紙ローラ１２１を正規用紙搬送速度から停止又は減速（停止を除く）させると、図４に示すように、記録用紙は、より短い湾曲搬送路Ｂ’やＢ（図４も参照）へシフトする。湾曲搬送路Ｂ’は最短の湾曲搬送路である。
【００４８】
図２に示すように画像形成装置１０の制御回路は画像形成装置の動作を制御する制御部Ｃｏｎｔを含んでおり、画像形成部１１や、他の動作する各部の駆動部等は制御部Ｃｏｎｔの指示に基づいて動作する。レジストセンサＳｅ１や給紙センサＳＥ１による用紙検出情報は制御部Ｃｏｎｔに入力される。
【００４９】
制御部Ｃｏｎｔにはオペレータ（ユーザー）のための操作パネルＰＡも接続されている。操作パネルＰＡには、画像形成に用いる記録用紙のサイズを指定するキー、画像形成枚数を設定するテンキーのほか、片面画像形成モード又は両面画像形成モードを選択するためのキー等や、各種情報を表示するディスプレイＤＰも設けられている。
【００５０】
本実施形態では、記録用紙供給部１２は、１種類のサイズの記録用紙を供給するものであるが、記録用紙供給部には、それぞれが異なるサイズの記録用紙を供給できる複数の供給部が設けられていてもよく、そのような場合には、操作パネルＰＡにおいて所望サイズの記録用紙を選択可能としておくことができる。
【００５１】
以上説明した画像形成装置１０によると、記録用紙供給部１２において、操作パネルＰＡで指定される又は記録用紙供給部のセンサ１２ｓで検出される正規サイズの記録用紙に正規サイズ記録用紙より用紙搬送方向長さ（ＦＤ長）が短い小サイズ記録用紙が誤って混じっていた場合、小サイズ記録用紙について用紙サイズエラーを検出できる。すなわち、小サイズ記録用紙の場合、レジストローラ１３１に搬送され、給紙ローラ１２１から抜け出る。そのためセンサＳＥ１によりサイズエラーを検出できる。そのための用紙サイズエラー判断部１０１が制御部Ｃｏｎｔに含まれている。なお、図１の画像形成装置例１０の場合、操作パネルＰＡでは、記録用紙供給部１２に収容され得る１種類のサイズの用紙だけ指定可能である。
なお、ここで小サイズの用紙としてはＡ４サイズの用紙が考えられる。Ａ４サイズの用紙の長手方向がＡ３サイズの給紙カセットの幅方向になるようにセットする。すなわちＡ４サイズの用紙を横にしてＡ３サイズの給紙カセットにセットする。幅方向長さは同じであるがＦＤ長は半分となる。ここではＦＤ長が半分の用紙をセットした場合について説明したが、本発明はこれに限らず、１／３や１／４等の１／整数の長さのＦＤ長の用紙であればよい。
【００５２】
用紙サイズエラー判断部１０１についてさらに説明する。
サイズエラー判断部１０１は、記録用紙供給部１２の正規サイズ記録用紙に混じる可能性があることが経験等から予め分かっている、正規サイズ記録用紙より記録用紙搬送方向長が短い小サイズ記録用紙が該正規サイズ記録用紙に混じっていると記録用紙サイズエラー検出を行う。
【００５３】
記録用紙供給部１２から記録用紙が供給されるにあたり、記録用紙が正規サイズ記録用紙であるとき、給紙ローラ１２１による正規サイズ記録用紙の供給開始から小サイズの記録用紙後端が給紙センサＳＥ１を通過完了するのに要する時間をＴ１とし、記録用紙が小サイズ記録用紙であるとき、給紙ローラ１２１による小サイズ記録用紙の供給開始から小サイズ記録用紙後端が給紙ローラ１２１を通過完了するのに要する時間をＴ２とする。
【００５４】
サイズエラー判断部１０１は、給紙ローラ１２１による記録用紙供給開始から時間Ｔ２経過時点以後で、時間Ｔ１経過前に給紙ローラ１２１を一時的に所定時間減速開始させさせる。本実施形態では、給紙ローラ１２１が記録用紙を供給開始してから時間Ｔ２経過するタイミングで給紙ローラ１２１を一時停止開始する。このタイミングは予め制御部Ｃｏｎｔに設定してある。
【００５５】
この給紙ローラ１２１の一時的な所定時間停止により、実際に供給される記録用紙のサイズが正規サイズ記録用紙のそれより小サイズである場合は、次の記録用紙の給紙ローラ１２１の正規駆動による進行を妨げ、給紙ローラ１２１の所定時間の停止により給紙センサＳＥ１が正規サイズ記録用紙無しを検出すると、記録用紙サイズは正規サイズではないサイズエラーと判断する。給紙ローラ１２１の所定時間の減速によっても、給紙センサＳＥ１が正規サイズ記録用紙無しを検出しないときは、サイズエラー無しと判断して所定減速時間経過後、給紙ローラ１２１の正規駆動を再開させる。
【００５６】
給紙ローラ１２１を一時停止させる前記所定時間については、
給紙ローラ１２１とレジストローラ１３１との間にわたって、長い湾曲搬送路Ａに位置する正規サイズの記録用紙が、給紙ローラ１２１による搬送無しの状態でレジストローラ１３１の運転により最短湾曲搬送路Ｂ’へシフトするのに要する時間Ｔａより短く、次に説明する時間Ｔｂ（＜Ｔａ）より長い時間とすればよい。この一時停止させる時間は制御部Ｃｏｎｔに記憶させてある。具体的には次の関係を満たす時間であればよい。
Ｔｂ＜一時停止させる時間＜Ｔａ
【００５７】
時間Ｔａは、湾曲搬送路Ａ、Ｂ’間の、計算及び（又は）実測等により求めた距離差をレジストローラ１３１の用紙搬送速度で割ることで求める。
時間Ｔｂは、給紙ローラ１２１の停止とレジストローラ１３１の運転継続により、先行する記録用紙の後端部と後行の記録用紙の先端部との重なりが解け、さらに、先行する記録用紙と後の記録用紙との間に、給紙センサによる「用紙なし」検出が可能となる間隔が生じるに要する時間（その（重なり長さ＋間隔）をレジストローラ１３１の用紙搬送速度で割って得られる時間）とすればよく、かかる重なりや間隔は予め算出することにより求めることができる。
【００５８】
なお、先行記録用紙の後端部と後行記録用紙の先端部との重なりは、先行記録用紙が正規サイズ用紙より短いものであると、正規サイズ記録用紙を搬送するものとして動作するピックアップローラＰを先行記録用紙後端が通過したあと、ピックアップローラＰが後の記録用紙の先端部に触れて、該用紙を捌き出すことで発生する。
【００５９】
図５は反射型の給紙センサＳＥ１を用いてサイズエラーを検出している例を示している。Ｓｈ１は先行用紙であり、Ｓｈ２は後の用紙である。図５では用紙Ｓｈ１は正規サイズ用紙より短い小サイズ用紙であり、用紙Ｓｈ１とＳｈ２との間が開いてしまっていて、センサＳＥ１が「用紙なし」を検出している様子を示している。制御部Ｃｏｎｔのサイズエラー判断部１０１は図６のフローチャートに示すように動作する。
【００６０】
すなわち、小サイズ記録用紙のＦＤ長（搬送方向長さ）が給紙ローラ１２１を通過し終わると、給紙ローラ１２１を停止させ、給紙センサＳＥ１が「用紙なし」を検出すると（換言すれば、「用紙あり」を検出できなければ）（ステップＳ１１〜Ｓ１３）、その場合は、記録用紙長さが正規サイズのものより短く、記録用紙後端が既にセンサＳＥ１による検出位置を通過し終わっているものとして、サイズエラー検出処理として操作パネルＰＡのディスプレイＤＰにサイズエラーを表示し、画像形成を中止させる（ステップＳ１６）。これによってサイズ違いのプリントを防止することができる。
【００６１】
また、給紙ローラ１２１を停止開始したが、給紙センサＳＥ１が「用紙あり」を検出していても、所定の一時停止時間の経過前に「用紙なし」を検出すると、その場合も、記録用紙長さが正規サイズのものより短いものとして、サイズエラー検出処理を行う。
【００６２】
しかし、給紙ローラ停止開始後、所定の一時停止時間の間に給紙センサＳＥ１が「用紙なし」を検出しないときは、用紙サイズが所望サイズ（正規サイズ）のものであるとして、給紙ローラ１２１の駆動を再開する（ステップＳ１３〜Ｓ１５）。
【００６３】
給紙センサＳＥ１は、反射型のものに代えて他のタイプの給紙センサとしてもよい。
図７は透過型センサＳＥ２を給紙センサとして採用している例である。
透過型センサＳＥ２は、透過型センサ本体Ｔｓｅと、透過型センサ本体Ｔｓｅに嵌脱可能に配置されたアクチュエータａｃとを含んでいる。
【００６４】
アクチュエータａｃが湾曲搬送路にある記録用紙に持ち上げられて（例えば図７に鎖線で示す位置へ持ち上げられて）センサ本体Ｔｓｅから脱離することで記録用紙を検出できる。記録用紙が正規サイズのものより短く、記録用紙間に間隔ができることで、アクチュエータａｃが揺動下降してセンサ本体Ｔｓｅに嵌入し、そこを通っていた光が遮断されることでサイズエラーが検出される。センサＳＥ２は、長い湾曲搬送路Ａと短い湾曲搬送路Ｂ’との最大間隔が広い場合（搬送路Ａの懐が深い場合）に使える。
【００６５】
センサＳＥ２を用いる場合、サイズエラー判断部１０１は、図６のフローチャートに示すと同様に、給紙ローラ１２１の所定一時停止時間においてセンサＳＥ２が記録用紙を検出できないときがあると、記録用紙サイズが正規サイズではないと判断する。
【００６６】
また、給紙センサとして、図８に示すように、距離センサＳＥ３を採用することもできる。図８は、先行記録用紙Ｓｈ１と後の記録用紙Ｓｈ２との間が大きく開いてはいないが、先行用紙Ｓｈ１が正規サイズより短い用紙であるため、あとの用紙Ｓｈ２から浮き上がって、センサＳＥ３による検出位置からは外れてしまっており、センサＳＥ３は遠い位置にある記録用紙Ｓｈ２までの距離を検出している。
【００６７】
図９及び図１０は、それぞれ、距離センサＳＥ３を使用する場合の、サイズエラー判断部１０１の動作例を示している。                                                  
【００６８】
図９に示す例では、小サイズ記録用紙のＦＤ長が給紙ローラ１２１を通過し終わると、給紙ローラ１２１を停止させ、給紙ローラ１２１の所定一時停止時間が経過すると、距離センサＳＥ３から用紙までの距離を該センサで検出し、検出距離が「用紙あり」を示す所定距離以下でなければ、サイズエラー検出処理を行い（ステップＳ２１〜Ｓ２４、Ｓ２６）、検出距離が「用紙あり」を示す所定距離以下であると、給紙ローラ駆動を再開する（ステップＳ２５）。
【００６９】
図１０に示す例では、小サイズ記録用紙のＦＤ長が給紙ローラ１２１を通過し終わると、給紙ローラ１２１を停止させ、距離センサＳＥ３から用紙までの距離を距離センサＳＥ３で検出し、検出距離が「用紙あり」を示す所定距離以下であると、給紙ローラ駆動を再開するが（ステップＳ３１〜Ｓ３４、Ｓ３６）、そうでなければ、記録用紙長さが正規サイズのものより短いものとして、サイズエラー検出処理を行う（ステップＳ３５）。
【００７０】
いずれにしても、記録用紙あり、なしを判断するための基準となる距離センサＳＥ３からの「所定距離」としてとり得る範囲は、センサＳＥ３から湾曲搬送路Ｂ’にある記録用紙までの距離より大きく、センサＳＥ３から湾曲搬送路Ａにある記録用紙までの距離より小さいものである。
【００７１】
また、給紙センサとして動体検出センサを採用することもできる。図１１は動体検出センサとして物体の接触移動を検出できるエンコーダＳＥ４を採用したものである。エンコーダＳＥ４には従動ローラＦｒを対向させてある。エンコーダＳＥ４は給紙ローラ１２１の近傍に配置してある。先行記録用紙が正規サイズ用紙であると、給紙ローラ１２１の一時停止開始後、該用紙レジストローラ１３１に引っ張られるため、エンコーダＳＥ４が該用紙の移動を検出し、それにより用紙ありを検出することができる。図１１は、先行用紙Ｓｈ１が正規サイズ用紙より小サイズであり、次の用紙はレジストローラ１３１により引っ張られないため、エンコーダＳＥ４は用紙の移動を検出できず、それによりサイズエラーが検出される例を示している。
【００７２】
図１２は動体検出センサを使用する場合の、サイズエラー判断部１０１の動作例を示している。
図１２に示すように、小サイズ記録用紙のＦＤ長が給紙ローラ１２１を通過し終わると、給紙ローラ１２１を停止させ、センサＳＥ４が記録用紙停止を検出するとサイズエラー検出処理を行う（ステップＳ４１〜Ｓ４３、Ｓ４６）。
【００７３】
また、給紙ローラ１２１を停止し始めたときにはセンサＳＥ４が用紙移動を検出していても、所定の一時停止時間の経過前に用紙移動停止を検出すると、その場合も、記録用紙長さが正規サイズのものより短いものとして、サイズエラー検出処理を行う。
【００７４】
しかし、給紙ローラ停止開始後、所定停止時間の間、センサＳＥ４が用紙移動を検出していると、用紙サイズが所望サイズ（正規サイズ）のものであるとして、給紙ローラ１２１の駆動を再開する（ステップＳ４３〜Ｓ４５）。
なお、動体検出センサとしては、非接触のレーザードップラー速度計等の動体検知センサ等も採用できる。
【００７５】
図６、図９、図１０、図１２のフローチャートを参照して説明したサイズエラー判断では、給紙ローラ１２１を所定時間一時停止させたが、給紙ローラ１２１を完全に停止させるのではなく、正規駆動時の用紙搬送速度より低速で用紙搬送を行う減速状態としてもよい。
【００７６】
また、以上説明した図１の画像形成装置１０では給紙ローラ１２１の次段の搬送ローラをレジストローラ１３１としたが、図１３に示す画像形成装置のように、レジストローラ１３１より上流側で、且つ、給紙ローラ１２１より下流側に位置する、給紙ローラ１２１の次段のローラＦＲを次段搬送ローラとして本発明を適用することもできる。
【００７７】
以上説明した画像形成装置は所謂タンデム型のカラー画像形成装置であってが、本発明は、他のタイプのカラー画像形成装置や、モノクロ画像形成装置にも適用でき、また、電子写真方式の画像形成装置だけでなく、インクによるプリントを行う画像形成装置などにも適用できる。
【産業上の利用可能性】
【００７８】
本発明は、正規サイズ用紙に異なるサイズの用紙が混じっている場合、その異なるサイズの用紙が正規サイズ用紙より小サイズの用紙である場合でも、該異なるサイズの用紙について用紙サイズエラーを検出できる画像形成装置を提供することに利用できる。
【符号の説明】
【００７９】
１０  画像形成装置
１  画像形成装置本体
１１  画像形成部
１１１  中間転写ベルト
Ｙ  イエロー画像形成ユニット
Ｍ  マゼンタ画像形成ユニット
Ｃ  シアン画像形成ユニット
Ｋ  ブラック画像形成ユニット
ＰＣ  感光体
ｔｒ  １次転写ローラ
ＴＲ  ２次転写ローラ
１１２  定着装置
１２  記録用紙供給部
１２１  給紙ローラ
Ｐ  ピックアップローラ
１２０  定規
１２ｓ  用紙サイズ検出センサ
１３  画像形成パス
１３１  レジストローラ
１３Ｒ  搬送ローラ
１４  反転循環搬送路
ａ１  搬送路
ａ２  循環搬送路
Ｄｒ  排出反転ローラ
Ｒ  搬送ローラ
Ｓｅ１  レジストセンサ
ＳＥ１  反射型センサ
ＳＥ２  透過型センサ
ＳＥ３  距離センサ
ＳＥ４  動体検出センサ
Ａ  長い湾曲搬送路
Ｂ  湾曲搬送路Ａより短い湾曲搬送路
Ｂ’最短湾曲搬送路
Ｇ  記録用紙搬送ガイド
Ｃｏｎｔ  制御部
１０１  用紙サイズエラー判断部
ＰＡ  操作パネル
２  画像読み取り装置
Ｓｈ  記録用紙
Ｓｈ１  先行記録用紙
Ｓｈ２  後の記録用紙
【図１】
2011201667.tif 000003
【図２】
2011201667.tif 000004
【図３】
2011201667.tif 000005
【図４】
2011201667.tif 000006
【図５】
2011201667.tif 000007
【図６】
2011201667.tif 000008
【図７】
2011201667.tif 000009
【図８】
2011201667.tif 000010
【図９】
2011201667.tif 000011
【図１０】
2011201667.tif 000012
【図１１】
2011201667.tif 000013
【図１２】
2011201667.tif 000014
【図１３】
2011201667.tif 000015
【手続補正書】
【提出日】平成23年3月1日(2011.3.1)
【手続補正１】
【補正対象書類名】特許請求の範囲
【補正対象項目名】請求項１
【補正方法】変更
【補正の内容】
【請求項１】
記録用紙サイズ指定部で指定されるか又は記録用紙サイズ検出手段により検出される正規サイズの記録用紙を記録用紙供給部から給紙ローラにて該給紙ローラより記録用紙搬送方向において下流側に位置する次段の搬送ローラへ供給し、該次段搬送ローラから画像形成部へ供給して該記録用紙に画像形成でき、記録用紙を該次段搬送ローラから画像形成部へ供給するにあたり前記給紙ローラにも該記録用紙を搬送させる画像形成装置であり、
前記給紙ローラから前記次段搬送ローラへ記録用紙を導く用紙搬送路と、
記録用紙搬送方向において前記給紙ローラより下流側で前記次段搬送ローラより上流側に配置され、前記用紙搬送路に臨んで、該給紙ローラにより供給される記録用紙を検出するための給紙センサと、
前記記録用紙供給部の正規サイズ記録用紙に混じる可能性があることが予測される、正規サイズ記録用紙より記録用紙搬送方向長が短い小サイズ記録用紙が該正規サイズ記録用紙に混じっていると記録用紙サイズエラー検出を行うためのサイズエラー判断部とを含んでおり、
前記サイズエラー判断部は、前記記録用紙供給部から記録用紙が供給されるにあたり、記録用紙が正規サイズ記録用紙であるとき、前記給紙ローラによる正規サイズ記録用紙の供給開始から該正規サイズ記録用紙後端が前記給紙センサを通過完了するのに要する時間をＴ１、記録用紙が前記小サイズ記録用紙であるとき、前記給紙ローラによる小サイズ記録用紙の供給開始から該小サイズ記録用紙後端が前記給紙ローラを通過完了するのに要する時間をＴ２とすると、前記給紙ローラによる記録用紙供給開始から時間Ｔ２経過時点以後で、時間Ｔ１経過前に前記給紙ローラを一時的に所定時間減速開始させ、前記給紙ローラの所定時間の減速により、前記給紙センサが正規サイズ記録用紙無しを検出すると、記録用紙サイズは正規サイズではないサイズエラーと判断し、前記給紙ローラの所定時間の減速によっても、前記給紙センサが正規サイズ記録用紙無しを検出しないときは、サイズエラー無しと判断して該所定減速時間経過後、前記給紙ローラの正規駆動を再開させることを特徴とする画像形成装置。
【手続補正２】
【補正対象書類名】明細書
【補正対象項目名】００１６
【補正方法】変更
【補正の内容】
【００１６】
前記サイズエラー判断部は、前記記録用紙供給部から記録用紙が供給されるにあたり、記録用紙が正規サイズ記録用紙であるとき、前記給紙ローラによる正規サイズ記録用紙の供給開始から該正規サイズ記録用紙後端が前記給紙センサを通過完了するのに要する時間をＴ１、記録用紙が前記小サイズ記録用紙であるとき、前記給紙ローラによる小サイズ記録用紙の供給開始から該小サイズ記録用紙後端が前記給紙ローラを通過完了するのに要する時間をＴ２とすると、前記給紙ローラによる記録用紙供給開始から時間Ｔ２経過時点以後で、時間Ｔ１経過前に前記給紙ローラを一時的に所定時間減速開始させ、該給紙ローラの所定時間の減速により、前記給紙センサが正規サイズ記録用紙無しを検出すると、記録用紙サイズは正規サイズではないサイズエラーと判断し、前記給紙ローラの所定時間の減速によっても、前記給紙センサが正規サイズ記録用紙無しを検出しないときは、サイズエラー無しと判断して該所定減速時間経過後、該給紙ローラの正規駆動を再開させる。
【手続補正３】
【補正対象書類名】明細書
【補正対象項目名】００２２
【補正方法】変更
【補正の内容】
【００２２】
そこで本発明に係る画像形成装置の前記サイズエラー判断部は、前記記録用紙供給部から記録用紙が供給されるにあたり、記録用紙が正規サイズ記録用紙であるとき、給紙ローラによる正規サイズ記録用紙の供給開始から該正規サイズ記録用紙後端が給紙センサを通過完了するのに要する時間をＴ１、記録用紙が前記小サイズ記録用紙であるとき、給紙ローラによる小サイズ記録用紙の供給開始から該小サイズ記録用紙後端が給紙ローラを通過完了するのに要する時間をＴ２とすると、給紙ローラによる記録用紙供給開始から時間Ｔ２経過時点以後で、時間Ｔ１経過前に給紙ローラを一時的に所定時間減速開始させる。これにより、実際に供給される記録用紙のサイズが正規サイズ記録用紙のそれより小サイズである場合は、次の記録用紙の給紙ローラの正規駆動による進行を妨げ、該給紙ローラの所定時間の減速により、前記給紙センサが正規サイズ記録用紙無しを検出すると、記録用紙サイズは正規サイズではないサイズエラーと判断し、給紙ローラの所定時間の減速によっても、給紙センサが正規サイズ記録用紙無しを検出しないときは、サイズエラー無しと判断して該所定減速時間経過後、該給紙ローラの正規駆動を再開させる。
【手続補正４】
【補正対象書類名】明細書
【補正対象項目名】００５３
【補正方法】変更
【補正の内容】
【００５３】
記録用紙供給部１２から記録用紙が供給されるにあたり、記録用紙が正規サイズ記録用紙であるとき、給紙ローラ１２１による正規サイズ記録用紙の供給開始から該正規サイズ記録用紙後端が給紙センサＳＥ１を通過完了するのに要する時間をＴ１とし、記録用紙が小サイズ記録用紙であるとき、給紙ローラ１２１による小サイズ記録用紙の供給開始から該小サイズ記録用紙後端が給紙ローラ１２１を通過完了するのに要する時間をＴ２とする。